(57)【特許請求の範囲】
【請求項１】
開口部を上部に有する容器本体と、
前記開口部に着脱可能であって、前記容器本体に固定された状態で前記容器本体内の内部空間の鉛直下方向に向けて膨出する膨出部を有する蓋材と、を備え、
前記膨出部は、前記開口部側から延出する第１膨出部を有しており、
前記蓋材が前記容器本体に固定された状態で、前記容器本体の側壁部の内径φ１に対する前記第１膨出部の外径φ２の比であるφ２／φ１の値が０．６０以上０．９５以下であって、
前記容器本体の側壁部の外側からの指押圧により、前記容器本体の側壁部と前記第１膨出部とが接触可能に構成されていることを特徴とする氷菓収容用容器。
【請求項２】
開口部を上部に有する容器本体と、
前記開口部に着脱可能であって、前記容器本体に固定された状態で前記容器本体内の内部空間の鉛直下方向に向けて膨出する膨出部を有する蓋材と、を備え、
前記膨出部は、前記開口部側から延出する第１膨出部を有しており、
前記蓋材が前記容器本体に固定された状態で、前記第１膨出部の外壁の外面と、該外壁に対向する位置の前記容器本体の側壁部の内面との距離が１ｍｍ以上２５ｍｍ以下であって、
前記容器本体の側壁部の外側からの指押圧により、前記容器本体の側壁部と前記第１膨出部とが接触可能に構成されていることを特徴とする氷菓収容用容器。
【請求項３】
前記第１膨出部から更に縮径して延出する第２膨出部を有する、請求項１又は２に記載の氷菓収容用容器。
【請求項４】
前記第１膨出部は、前記容器本体に固定された状態で、前記開口部から鉛直下方向に２０ｍｍ以内に配置されている、請求項１から３のいずれかに記載の氷菓収容用容器。
【請求項５】
前記第１膨出部の外表面には複数のリブが形成されている、請求項１から４のいずれかに記載の氷菓収容用容器。
【請求項６】
前記容器本体は、指押圧にて変形可能な樹脂製である、請求項１から５のいずれかに記載の氷菓収容用容器。
【請求項７】
請求項１から６のいずれかに記載の氷菓収容用容器の前記容器本体内に氷菓が収容されており、
前記第１膨出部と、前記第１膨出部の外壁の外面と、該外壁に対向する位置の前記容器本体の側壁部の内面との間の空間には、前記氷菓が収容配置されていない容器入り氷菓。
【発明の詳細な説明】
【技術分野】
【０００１】
本発明は、氷菓を所定の形状に収容可能な容器及びそれを用いた容器入り氷菓に関する。
【背景技術】
【０００２】
氷菓に凹状の窪みを形成して窪みに液体を収納可能な容器が知られている。氷菓が凹状の窪みを有する形状であれば、ミルクやシロップ等の飲料用の液体を凹状の窪みに注ぎ、撹拌することにより容易に氷菓と飲料用の液体等を混ぜることができる。例えば、凹状の窪みを有する形状の氷菓にミルクを注ぎ、氷菓とミルクとを撹拌することでフローズン状の飲料を容易に作成することができる。
【０００３】
例えば、特許文献１では、容器の開口部から円錐状の凹部を有し、酒類等の飲料用の液体を注入可能な氷菓収容用容器が開示されている。また、特許文献２では、容器の開口部から下方に向かって突起したキャップをかぶせ、添加食材充填スペースを形成させた状態で凍結可能な氷菓収容用容器が開示されている。特許文献１及び２の氷菓収容用容器であれば、ブレンダ―等からの騒音を発生させることなく、フローズン状の飲料を容易に作成することができる。
【０００４】
しかしながら、氷菓に凹状の窪みを成型する際に、容器蓋が氷菓に強固に密着し、氷菓と容器蓋とを分離することが困難となる。そこで、特許文献３では、鉛直下方向に向けて膨出する膨出部を有する蓋材の外面に螺旋状の段差が形成されている氷菓収容用容器が開示されている。特許文献３の氷菓収容用容器であれば、氷菓と蓋材との界面において、螺旋状の階段に沿って蓋材を回転させることで、氷菓を凹状の窪みを有する形状に収容可能であって、且つ、氷菓と容器蓋とを分離することが可能となる。
【先行技術文献】
【特許文献】
【０００５】
【特許文献１】特開平１０−１１７６９２号公報
【特許文献２】実用新案登録第２５９０７４３号公報
【特許文献３】特許第５５３６２７３号公報
【発明の概要】
【発明が解決しようとする課題】
【０００６】
上記の通り、特許文献３の氷菓収容用容器であれば、氷菓を凹状の窪みを有する形状に収容可能であって、且つ、氷菓と容器蓋とを分離することが可能となる。しかし、特許文献３の氷菓収容用容器は、蓋材の外面に螺旋状の段差が形成された構造であり、螺旋状の段差に沿って氷菓収容用容器の容器蓋を回転させなければ氷菓と容器蓋とを分離することができない。このため、氷菓と容器蓋とを分離するためには容器蓋を特定の一方向に回転させる必要があり、例えば右利きの人用に螺旋状の段差を最適化した場合に、左利きの人にとって容器蓋を特定の一方向に回転させることは必ずしも容易であるとはいえない。
【０００７】
本発明は、上記の課題を解決するための氷菓収容用容器であり、その目的は、氷菓に凹状の窪みを形成して収納可能な氷菓収容用容器であって、容易に氷菓と容器蓋とを分離することが可能な氷菓収容用容器を提供することである。
【課題を解決するための手段】
【０００８】
本発明者は、本課題を解決すべく鋭意検討を行った結果、蓋材の膨出部の外径と、容器本体の側壁部の内径と、を所定の範囲内とした氷菓収容用容器であれば、上記課題を解決できることを見出し、本発明をするに至った。
【０００９】
（１）開口部を上部に有する容器本体と、前記開口部に着脱可能であって、前記容器本体に固定された状態で前記容器本体内の内部空間の鉛直下方向に向けて膨出する膨出部を有する蓋材と、を備え、前記膨出部は、前記開口部側から延出する第１膨出部を有しており、前記蓋材が前記容器本体に固定された状態で、前記第１膨出部の外径φ２に対する前記容器本体の側壁部の内径φ１の比であるφ１／φ２の値が０．６０以上０．９５以下であることを特徴とする氷菓収容用容器。
【００１０】
（２）開口部を上部に有する容器本体と、前記開口部に着脱可能であって、前記容器本体に固定された状態で前記容器本体内の内部空間の鉛直下方向に向けて膨出する膨出部を有する蓋材と、を備え、前記膨出部は、前記開口部側から延出する第１膨出部を有しており、前記蓋材が前記容器本体に固定された状態で、前記第１膨出部の外壁の外面と、該外壁に対向する位置の前記容器本体の側壁部の内面との距離が１ｍｍ以上２５ｍｍ以下であることを特徴とする氷菓収容用容器。
【００１１】
（３）前記第１膨出部から更に縮径して延出する第２膨出部を有する、（１）又は（２）に記載の氷菓収容用容器。
【００１２】
（４）前記第１膨出部は、前記容器本体に固定された状態で、前記開口部から鉛直下方向に２０ｍｍ以内に配置されている、（１）から（３）のいずれかに記載の氷菓収容用容器。
【００１３】
（５）前記第１膨出部の外表面には複数のリブが形成されている、（１）から（４）のいずれかに記載の氷菓収容用容器。
【００１４】
（６）前記容器本体は、指押圧にて変形可能な樹脂製である、（１）から（５）のいずれかに記載の氷菓収容用容器。
【００１５】
（７）（１）から（６）のいずれかに記載の氷菓収容用容器の前記容器本体内に氷菓が収容されており、前記第１膨出部と、前記第１膨出部の外壁の外面と、該外壁に対向する位置の前記容器本体の側壁部の内面との間の空間には、前記氷菓が収容配置されていない容器入り氷菓。
【発明の効果】
【００１６】
本発明の氷菓収容用容器は、氷菓に凹状の窪みを形成して収納可能な氷菓収容用容器であって、容易に氷菓と容器蓋とを容易に分離することが可能な氷菓収容用容器である。
【図面の簡単な説明】
【００１７】
【図１】本発明の一の実施形態の氷菓収容用容器及びそれを用いた容器入り氷菓の正面図を模式的に表した図である。
【図２】図１の氷菓収容用容器の蓋材の斜視図である。
【図３】図１の氷菓収容用容器の蓋材の正面図である。
【図４】図１の氷菓収容用容器の蓋材の平面図である。
【図５】図１の容器入り氷菓の氷菓と容器蓋とが分離する態様を模式的に表した図である。
【図６】本発明の他の実施形態の氷菓収容用容器及びそれを用いた容器入り氷菓の正面図を模式的に表した図である。
【図７】図６の氷菓収容用容器の蓋材の斜視図である。
【図８】図６の氷菓収容用容器の蓋材の正面図である。
【図９】図６の氷菓収容用容器の蓋材の平面図である。
【図１０】図６の氷菓収容用容器の斜視図である。
【発明を実施するための形態】
【００１８】
以下、本発明の氷菓収容用容器の各実施形態について説明する。本発明は、以下の実施形態に何ら限定されず、本発明の目的の範囲内において、適宜変更を加えて実施することができる。
【００１９】
＜氷菓収容用容器の第一実施形態＞
本発明の氷菓収容用容器について、本発明の一実施形態である図１の容器入り氷菓を用いて説明する。図１の容器入り氷菓２００は、氷菓収容用容器１内に氷菓１３が収容されている。氷菓収容用容器１は、開口部を上部に有する容器本体１２と、鉛直下方向に向けて膨出する膨出部１１１を有する蓋材１１と、を備える。
【００２０】
図１に関する氷菓収容用容器１は、蓋材１１が容器本体１２に固定された状態で、容器本体内の内部空間の鉛直下方向に向けて膨出する膨出部１１１を有する。蓋材１１に膨出部１１１を有することによって、氷菓１３の上部に凹状の窪みを形成することができる。なお、氷菓１３は、例えばシャーベットやアイスクリーム等の従来公知の氷菓を例示することができる。
【００２１】
図１の氷菓収容用容器１の蓋材１１には、内蓋相当の膨出部１１１と外蓋１１３とが備えられている。この実施形態においては、膨出部１１１と外蓋１１３とは互いに別部材で勘合して蓋材１１を構成しているが、これに限らず一体成型されていてもよい。また、内蓋のみで本発明の蓋材を構成してもよい。開口部１２１側から延出する膨出部１１１である第１膨出部１１１ａの外表面には凸状の複数のリブ１１２が形成されている。リブ１１２は本発明では必須ではないが、リブ１１２が形成されることで、第１膨出部１１１ａの剛性を向上させることができ、後述する本発明の効果を好ましい態様で実現することができる。
【００２２】
また、図１の氷菓収容用容器１は、第１膨出部１１１ａの外径φ２（以後、単にφ２と表記することがある）に対する、容器本体の側壁部の内径φ１（以後、単にφ１と表記することがある）の比であるφ１／φ２（以後、単にφ１／φ２と表記することがある）の値が０．６０以上０．９５以下であることを特徴とする。下限は好ましくは０．７０以上、より好ましくは０．８０以上であり、上限は好ましくは０．９０以下より好ましくは０．８５以下である。φ１／φ２の値を０．６０以上０．９５以下とすることで、後述するように容易に氷菓と容器蓋とを分離することが可能な氷菓収容用容器とすることができる。なお、内径φ１や外径φ２は第１膨出部１１１ａの上端や下端や中央部などのいずれかの位置で測定して上記範囲内に入れば本発明の範囲内である。
【００２３】
本実施形態の氷菓収容用容器１の氷菓１３と容器蓋１１とを分離する原理について図５を用いて説明する。第１膨出部１１１ａの外径φ２と容器本体の側壁部の内径φ１との比であるφ１／φ２の値を０．６０以上０．９５以下とする。すなわち、蓋材１１の第１膨出部１１１ａと容器本体１２の側壁部とを極めて近い位置になるようにし、図５のように、容器本体１２が外側から指押圧等を加えることで容器本体１２の側壁部が変形し、容器本体１２と第１膨出部１１１ａとが接触する。そして、指押圧等により第１膨出部１１１ａを押し出して、氷菓１３と容器蓋１１とを分離することができる。
【００２４】
本実施形態の氷菓収容用容器１のように、指押圧等により第１膨出部１１１ａを押し出して、氷菓１３と容器蓋１１とを分離することができる構造であれば、容器蓋を特定の一方向に回転させる必要がなくなるため、容易に氷菓１３と容器蓋１１とを分離することができる。
【００２５】
本発明の効果を奏する氷菓収容用容器１とするためには、第１膨出部１１１ａは容器本体１２よりも剛性が高いことが好ましい。また、第１膨出部１１１ａの外表面には複数のリブが形成されていることが好ましい。第１膨出部１１１ａの外表面には複数のリブが形成されることで第１膨出部１１１ａの剛性をより好ましいものとし、指押圧等により第１膨出部１１１ａを押し出して、氷菓１３と容器蓋１１とを分離することがより容易となる。
【００２６】
なお、第１膨出部１１１ａの外壁の外面と、第１膨出部１１１ａの外壁に対向する位置の容器本体１２の側壁部の内面との距離１４が１ｍｍ以上２５ｍｍ以下であっても本発明の効果を奏する氷菓収容用容器１とすることができる。距離１４は、３ｍｍ以上１０ｍｍ以下であることが好ましく５ｍｍ以上１０ｍｍ以下であることがより好ましい。なお、距離１４についても、第１膨出部１１１ａの上端や下端や中央部などのいずれかの位置で測定して上記範囲内に入れば本発明の範囲内である。
【００２７】
また、第１膨出部１１１ａの外壁の外面と、その外壁に対向する位置の容器本体１２の側壁部の内面との間の空間には、氷菓１３が収容配置されていないことが好ましい。当該空間に氷菓１３が収容配置されていないことで、空間を利用して図５に示すような作用を得ることができ、指押圧等による第１膨出部１１１ａを押し出して、氷菓１３と容器蓋１１とを分離することがより容易となる。
【００２８】
次に本実施形態の氷菓収容用容器を構成する蓋材１１と容器本体１２について説明する。
【００２９】
［蓋材］
図２〜４に図１の氷菓収容用容器１の蓋材１１の斜視図、正面図、平面図を示す。なお、図２〜４に示す蓋材１１には、外蓋１１３は備えられていないが、外蓋１１３を備える構造としてもよい。
【００３０】
本実施形態に関する蓋材１１は、膨出部１１１を備え、膨出部１１１は、開口部１２１側から延出する第１膨出部１１１ａと、第１膨出部１１１ａから更に縮径して延出する第２膨出部１１１ｂと、を有する構造である（図１、図３参照）。図２〜４に示す蓋材１１のように外表面にリブが形成されていない第２膨出部１１１ｂを有する構造としてもよい。また、本発明においては、第１膨出部１１１ａと第２膨出部１１１ｂとの間に縮径するための遷移領域などが設けられていてもよい。
【００３１】
更に、第１膨出部１１１ａ外表面には複数のリブ１１２が形成されている。第１膨出部１１１ａの外表面には複数のリブが形成されることで第１膨出部１１１ａの剛性を向上して、指押圧等により第１膨出部１１１ａを押し出して、氷菓１３と容器蓋１１とを分離することがより容易となる。
【００３２】
また、第１膨出部１１１ａは、図１のように容器本体１１２に固定された状態で、開口部１２１から鉛直下方向に２０ｍｍ以内に配置されていること（開口部からの第１膨出部下部の距離１５（以後単に距離１５と表記することがある）が２０ｍｍ以内であること）が好ましく、下限は５ｍｍ以上、上限は１５ｍｍ以内に配置されていることがより好ましい。先述したように、第１膨出部１１１ａの外壁の外面と、その外壁に対向する位置の容器本体１２の側壁部の内面との間の空間には氷菓１３が収容配置されていないことが好ましい。このため、距離１５が小さければ、本発明の効果を阻害することなく、氷菓１３を氷菓収容用容器１の容器本体１２内に収容することができる。
【００３３】
蓋材１１を形成する材質は、本発明の効果を奏することができる材質であれば特に制限はされない。コストや硬度の観点からポリスチレン等の樹脂を好ましく用いることができる。
【００３４】
［容器本体］
容器本体１２は従来公知の氷菓用の容器を用いることができる。また、容器本体１２形成する材質は、本発明の効果を奏することができる材質であれば特に制限はされないが、本発明の効果を奏するために、指押圧等により容易に変形可能な材質であることが好ましく、指押圧にて変形可能な樹脂製であることがより好ましい。指押圧にて変形可能な樹脂としては、例えば、ポリエチレン樹脂やポリプロピレン樹脂等のポリオレフィン樹脂を例示することができる。
【００３５】
＜氷菓収容用容器の第二実施形態＞
本発明の他の実施形態（第二実施形態）である氷菓収容用容器５について図６から図１０を用いて説明する。図６の容器入り氷菓６００は、第１膨出部１５１ａ及び第２膨出部１５１ｂの外表面に複数のリブ１５２が形成されている。また、意匠性の観点から第１膨出部１５１ａの外表面の一部には、外側に膨出するリブ１５２が形成されておらず、平面部１５３として凹凸状の模様が形成されている。
【００３６】
図６の容器入り氷菓６００を構成する氷菓収容用容器５は、蓋材５１が容器本体１２に固定された状態であり、且つ、容器本体内の内部空間の鉛直下方向に向けて膨出する膨出部１５１を有する。図１の氷菓収容用容器１同様に、蓋材５１に膨出部１５１を有することによって、氷菓１３を凹状の窪みを有する形状に収容可能とすることができる。
【００３７】
図６に関する氷菓収容用容器５であっても、図１の氷菓収容用容器１同様に、φ１／φ２の値が０．６０以上０．９５以下であれば本発明の効果を奏する氷菓収容用容器５とすることができる。図７〜９に図６の氷菓収容用容器５の蓋材５１の斜視図、正面図、平面図を示す。なお、図７〜９に示す蓋材５１には、外蓋１１３は備えられていないが、外蓋１１３を備える構造としてもよい。
【００３８】
また、図１０に図６の氷菓収容用容器１の斜視図を示す。図１０では、第１膨出部１５１ａ及び第２膨出部１５１ｂの外表面に形成されているリブ１５２が凸状に形成されていることがより明確と表示されている。
【００３９】
以上、本発明の氷菓収容用容器は、氷菓に凹状の窪みを形成して、蓋材を取り外し後に液体を収納可能な氷菓収容用容器であって、蓋材の取り外しの際に、容易に氷菓と容器蓋とを容易に分離することが可能な氷菓収容用容器であることが分かる。
【符号の説明】
【００４０】
１        氷菓収容用容器（第一実施形態）
１１      蓋材（第一実施形態）
１１１    膨出部（第一実施形態）
１１１ａ  第１膨出部（第一実施形態）
１１１ａ  第２膨出部（第一実施形態）
１１２    リブ（第一実施形態）
１１３    外蓋
１２      容器本体
１２１    開口部
１３      氷菓
１４      第１膨出部の外壁の外面と、容器本体の側壁部の内面との距離
１５      開口部からの第１膨出部下部の距離（深さ）
５        氷菓収容用容器（第二実施形態）
５１      蓋材（第二実施形態）
１５１    膨出部（第二実施形態）
１５１ａ  第１膨出部（第二実施形態）
１５１ａ  第２膨出部（第二実施形態）
１５２    リブ（第二実施形態）
１５３    平面部
２００    氷菓入り容器（第一実施形態）
６００    氷菓入り容器（第二実施形態）
【図１】
0006617457.tif 000002
【図２】
0006617457.tif 000003
【図３】
0006617457.tif 000004
【図４】
0006617457.tif 000005
【図５】
0006617457.tif 000006
【図６】
0006617457.tif 000007
【図７】
0006617457.tif 000008
【図８】
0006617457.tif 000009
【図９】
0006617457.tif 000010
【図１０】
0006617457.tif 000011